(57)【特許請求の範囲】
【請求項１】
携帯電話機本体から当該電話機本体に電力を供給するバッテリーパックが着脱可能に搭載された携帯電話機であって、
使用者のＩＤを蓄積し、ＩＤを伝達する端子を備えたＳＩＭカード、
携帯電話機本体内部にあって携帯電話機を制御する制御部が搭載されたプリント回路基板、
当該プリント回路基板とは接触せず、前記バッテリーパックと対向する前記本体の面に設けられ、前記ＳＩＭカードを収納すると共に前記ＳＩＭカードの端子と接合するための金属端子を有するカード収納部、
当該カード収納部の端子と対になるプリント回路基板上の端子、
前記カード収納部が有するコネクタと前記プリント回路基板上のコネクタとを接続するフラットケーブル、
前記バッテリーパックの前記収納部に対向する部位に設けられ前記ＳＩＭカードを保持するための保持部材を備え、
前記バッテリーパックを携帯電話機本体に装着することにより前記ＳＩＭカードを搭載することを特徴とする携帯電話機。
【発明の詳細な説明】
【０００１】
【発明の属する技術分野】
本発明は、所有者を識別するためのＳＩＭカードを携帯電話機本体の収納部に挿入することによって搭載する携帯電話機に関するものである。
【０００２】
【従来の技術】
図１１は、携帯電話機内部のプリント回路基板と実装部品を示した図である。
図において、３は使用者のＩＤ等が蓄積され通話料の課金等に用いるＳＩＭカード、５はＳＩＭカードの情報を携帯電話機の制御部に伝達するための金属端子、９は携帯電話機の制御部を具備するプリント回路基板、２０は携帯電話機にＳＩＭカードを装着するためのＳＩＭカード収納部、２１はカード収納部に取り付けられたカバーである。
【０００３】
図１２は従来のカード収納部およびＳＩＭカードの断面図である。図のようにカード収納部の外壁はプリント回路基板に直接実装され、カバーが取り付けられていた。
【０００４】
次に作用について説明する。従来では携帯電話機本体のバッテリーパックを装着する側の面に配置した携帯電話機内部のプリント回路基板９に直接実装されたＳＩＭカード収納部２０にＳＩＭカード３を設置し、前記ＳＩＭカード上のメモリ内容読み取り部をカード収納部４内の金属端子５と接触させた後、カバー２１を軸で回転させカード収納部４を覆い、ＳＩＭカードを搭載していた。
【０００５】
【発明が解決しようとする課題】
このようにＳＩＭカード収納部を直接プリント回路基板に実装した場合、金属端子の周囲にＳＩＭカードのずれを防止するための囲いやカバーを備えることになるが、当該囲いやカバーの部分には携帯電話機を制御するための他の部品を実装することができず、高性能化や形状の小型化といった回路設計を行う際の制限となるという問題があった。
【０００６】
本発明は、以上のような問題点を解消するためになされたもので、プリント回路基板の部品の実装面積を有効に用いる携帯電話機を得ることを目的とする。
【０００７】
【課題を解決するための手段】
本発明に係る携帯電話機は、携帯電話機本体から当該電話機本体に電力を供給するバッテリーパックが着脱可能に搭載された携帯電話機であって、
使用者のＩＤを蓄積し、ＩＤを伝達する端子を備えたＳＩＭカード、携帯電話機本体内部にあって携帯電話機を制御する制御部が搭載されたプリント回路基板、当該プリント回路基板とは接触せず、バッテリーパックと対向する本体の面に設けられ、ＳＩＭカードを収納すると共に前記ＳＩＭカードの端子と接合するための金属端子を有するカード収納部、当該カード収納部の端子と対になるプリント回路基板上の端子、カード収納部が有するコネクタとプリント回路基板上のコネクタとを接続するフラットケーブル、バッテリーパックの収納部に対向する部位に設けられＳＩＭカードを保持するための保持部材を備え、
バッテリーパックを携帯電話機本体に装着することによりＳＩＭカードを搭載するものである。
【０００８】
【発明の実施の形態】
参考例１．
図１は、本発明の参考例１に係る携帯電話機のＳＩＭカード収納部を表す図である。
１ａは携帯電話機本体、２ａはフラットケーブルで携帯電話機本体１ａと電気的に接続された開閉部であり、ここでは受話部およびＬＣＤパネル部が開閉部となっている。３は個人のＩＤ情報を蓄積するＳＩＭカード、４ａは開閉部の下部に位置し、ＳＩＭカードをプリント回路基板に直接実装するためのカード収納部、５ａはＳＩＭカードの接続端子と接合し、ＳＩＭカードのデータをプリント回路基板上の制御部に伝達するコネクタである。
【０００９】
図２は、参考例１に係る携帯電話機のカード収納部４を図１の矢印Ａの方向から見た断面図である。６はＳＩＭカードをコネクタ５とともに密着させ保持するための保持部材、７は開閉部２を閉じる際に開閉部の軸と反対側に設けられＳＩＭカードがカード収納部からはみ出すことを防止するカード押え、８は制御部を含むプリント回路基板、９はＳＩＭカードがカード収納部４から横にずれることを防止する横ずれ防止壁であり、その下端はプリント回路基板８と接触しないようにする。
【００１０】
次に、効果について説明する。図１において携帯電話機本体１ａは、ＬＣＤパネルが開閉可能な構造の開閉部となっており、本体１ａとはフラットケーブルによって電気的に接続されている。前記開閉部の下部に位置し本体側に設けられたカード収納部４にＳＩＭカード３を挿入する。その際、横ずれ防止壁９があるため、ＳＩＭカード３の位置がずれたり、本体１ａのプリント回路基板８の内部に入り込んで、電気的ショートを誘発することはない。また、横ずれ防止壁９の下端をプリント回路基板８に接触しないようにすることによって、従来では配線や部品の実装ができなかったＳＩＭカードソケットのわくの部分にも実装が可能になり、プリント回路基板の実装面積を有効に使うことができる。
【００１１】
横ずれ防止壁９とプリント回路基板８との間隔をどの程度とるかについては、コネクタ５の高さとＳＩＭカード３の厚みなどからＳＩＭカード３が本体１ａの内部に入らず、かつプリント回路基板８に部品の実装が可能な間隔を選べば良い。
【００１２】
ＳＩＭカード３をカード収納部４に挿入後、前記開閉部２ａを閉じて携帯電話を使用する。開閉部２ａを閉じる際に、開閉部２ａの軸側の保持部材から最初にＳＩＭカード３に接触するが、接触していない側のＳＩＭカード３の一端がそれによって浮き上がってしまい、カード収納部４から飛び出してしまう。この飛び出しを防ぐために、カード収納部４の開閉部２ａの軸と反対側の横ずれ防止壁９の上端に押え部７を設ける。この押え部７によって、開閉部２ａの開け閉めの際に、ＳＩＭカードが携帯電話機本体から脱離するのを防ぐ。
【００１３】
以上のように、参考例１では従来プリント回路基板上に実装していたＳＩＭカード収納部の囲いをなくし、プリント回路基板８から分離した横ずれ防止壁９とＳＩＭカードの脱離を防止する押え部７を備え、コネクタ５のみをプリント回路基板８に実装するＳＩＭカード収納部４ａにすることによって、プリント回路基板の部品の実装面積を有効に用いる携帯電話機を得る。
【００１４】
また、図３は携帯電話機本体１ａのキーパッド部を開閉部２ｂとした場合の図である。カード収納部４の位置が変化しただけでコネクタ５、押え部７、横ずれ防止壁９を備えることに変化はない。このように開閉部２ａをＬＣＤパネル部からキーパッド部にしてカード収納部４の位置を変えることもできる。
【００１５】
実施の形態１．
参考例１では、プリント回路基板にＳＩＭカード接続用の金属端子のみを実装し、横ずれ防止壁および押え部をプリント回路基板から分離した構成を示したが、本実施の形態１では、カード収納部をプリント回路基板から完全に分離し、カード収納部より面積の小さいフラットケーブル用コネクタをプリント回路基板に実装しフラットケーブルによってカード収納部と接続し、当該プリント回路基板の部品実装面積をより有効に利用する携帯電話機を得る。
【００１６】
図４は本実施の形態１に係る携帯電話機本体のＳＩＭカード収納部を表す図である。図では携帯電話機のバッテリーパックと対向する面を表している。１ｃは携帯電話機本体、４ｂはカード収納部、５はカード収納部内のＳＩＭカードの端子と接合する金属端子である。
【００１７】
図５は本実施の形態１に係る携帯電話機本体の側面からの断面図である。１ｃ、３、４、５、６、８はそれぞれ参考例１の１ａ、３、４ａ、５、６、８と同じ構成要素である。
１０は本体１ｃと着脱が可能で電力を供給するとともに保持部材６を備えたバッテリーパックである。１１はプリント回路基板の周囲を覆うシールド壁、１２はプリント回路基板とは分離し、カード収納部を実装するカード収納部用実装基板、１３はプリント基板上に実装されたフラットケーブル用のコネクタ、１４は前記コネクタとカード収納部４内の金属端子とを接続するフラットケーブルである。
【００１８】
図のように従来ではプリント回路基板の上に実装していたカード収納部を、プリント回路基板から分離したカード収納部用実装基板上に実装し、プリント回路基板に実装した従来のカード収納部より部品面積の小さいフラットケーブル用コネクタとフラットケーブルで接続する。また、バッテリーパックの本体カード収納部と対向する位置にＳＩＭカードを保持する保持部材を備える。以上によりプリント回路基板上の部品実装面積を有効に用いる携帯電話機を得る。
【００１９】
参考例２．
参考例２では従来例では携帯電話機本体内部のプリント回路基板に直接実装していたＳＩＭカード収納部をバッテリーパック側に設け、前記プリント回路基板とフラットケーブルを通してＳＩＭカードの情報を伝達することでプリント回路基板の実装面積を有効に用いることを特徴とする。
【００２０】
図６は本発明の参考例２に係る携帯電話機の側面から見た図である。１ｄ、３、４ｃ、５、６、１０は実施の形態１の１ｃ、３、４ｂ、５、６、１０と同じ構成要素である。１５はバッテリーパックと携帯電話機本体とを電気的に接続するバッテリーパック側の端子、１６はカード収納部４ｃ内のコネクタ５と前記バッテリーパック側の端子１５とを接続するフラットケーブル、１７はバッテリーパック側の端子１２と接合させる携帯電話機本体側の端子である。
【００２１】
着脱可能なバッテリーパック１０側にＳＩＭカード収納部４ｃを設け、当該ＳＩＭカード収納部４ｃ内のコネクタ５と接続されたフラットケーブル１６と、当該フラットケーブル１６に接続された端子１５を備え、携帯電話機１ｄ本体側に前記バッテリーパック側の端子１５と接合させる本体側の端子１７とを備える。
【００２２】
本体内部の本体側の端子１７とプリント回路基板上の制御部とは実施の形態１で示したように、プリント回路基板にフラットケーブル用コネクタを実装し（図示せず）、当該コネクタと本体側の端子１７とをフラットケーブルで接続する。
以上のように、バッテリーパックと携帯電話機本体との間でＳＩＭカードの情報を伝達できるようにする。
【００２３】
図７は参考例２に係る携帯電話機１ｄのバッテリーパック１０を携帯電話機と対向する側から見た図である。図示したようにＳＩＭカード収納部４ｃ内のコネクタ５と端子１５ｂとをフラットケーブル１６で接続し、ＳＩＭカードの情報を本体側に伝達させる。１５ａはバッテリーパック１０から携帯電話機本体１ｂに電力を供給するための端子である。
【００２４】
図８はＳＩＭカード３のバッテリーパック１０への挿入方法を示した図である。バッテリーパック１０側面に設けられた挿入孔１８からＳＩＭカード３を挿入することで、携帯電話機１ｃにＳＩＭカード３を搭載する。ＳＩＭカードはコネクタ５とＳＩＭカード３の金属端子とが接合する向きにして挿入する。
【００２５】
図９はカード収納部４ｂの断面図である。１５はカード収納部４ｂからＳＩＭカード３が脱離しないようにするカード受けである。カード受けによってＳＩＭカード３が脱離せず、またカード収納部４ｂがバッテリーパックの携帯電話機本体に対向する側に向かって開いておりコネクタ５の向きが確認できることで、ＳＩＭカード３の挿入方向を誤ることがない。
【００２６】
以上のように、参考例２ではカード収納部４ｂをバッテリーパック側に設けたことで、携帯電話機内のプリント回路基板の部品実装面積を有効に用い、また、カード収納部４ｂが開いておりコネクタ５の向きが確認できることでＳＩＭカード３の挿入方向を誤ることのない携帯電話機を得る。
【００２７】
参考例３．
参考例２では、ＳＩＭカードのカード収納部をバッテリーパック側に設け、バッテリーパックと携帯電話機本体を端子で接続することにより携帯電話機本体内部のプリント回路基板の部品実装面積を有効に用いる携帯電話機を示したが、本参考例３では、ＳＩＭカードの蓄積した使用者のＩＤ情報をバッテリーパック内に設けたメモリーカードに蓄積することを特徴とする。
【００２８】
図１０は本参考例３に係る携帯電話機のバッテリーパックを表す図である。１２ｃはバッテリーパックから携帯電話機本体に電力を供給するための接続端子である。１２ｄはバッテリーパック内の使用者のＩＤ情報を携帯電話機本体の制御部に伝達するための接続端子である。また、ここでは図示しなかったが携帯電話機本体側に接続端子１２ｃおよび１２ｄと接合する接続端子をそれぞれ設け、電力の供給およびＩＤ情報の伝達に用いる。
【００２９】
従来ではＳＩＭカードに蓄積した使用者のＩＤ情報を、バッテリーパックに内蔵したメモリーカードに蓄積し、内部配線および接続端子１２ｄによってＩＤ情報を本体内部の制御部に伝達することを特徴とする。
【００３０】
【発明の効果】
以上のように、本発明によれば、携帯電話機内においてプリント回路基板とカード収納部とを分離することによりプリント回路基板の部品実装面積を有効に用いる携帯電話機を得る。
【図面の簡単な説明】
【図１】本発明の参考例１に係る携帯電話機の図である。
【図２】本発明の参考例１に係る携帯電話機の断面図である。
【図３】本発明の参考例１に係る携帯電話機の図である。
【図４】本発明の実施の形態１に係る携帯電話機本体の図である。
【図５】本発明の実施の形態１に係る携帯電話機本体およびバッテリーパックの断面図である。
【図６】本発明の参考例２に係る携帯電話機本体およびバッテリーパックを側面から見た図である。
【図７】本発明の参考例２に係る携帯電話機のバッテリーパックに設けられたカード収納部の図である。
【図８】本発明の参考例２に係る携帯電話機のＳＩＭカードの収納方法を示す図である。
【図９】本発明の参考例２に係る携帯電話機のバッテリーパックに設けられたカード収納部の断面図である。
【図１０】本発明の参考例３に係る携帯電話機のバッテリーパックの図である。
【図１１】従来の携帯電話機に搭載されたプリント回路基板上のカード収納部を表す図である。
【図１２】従来の携帯電話機に搭載されたプリント回路基板上のカード収納部の断面図である。
【符号の説明】
１  携帯電話機本体、  ２  開閉部、  ３  ＳＩＭカード、４  カード収納部、
５  金属端子、  ６  保持部材、  ７  押え部、  ８  プリント回路基板、
９  横ずれ防止壁、１０  バッテリーパック、  １１  絶縁板、
１２  カード収納部実装用基板、  １３  フラットケーブル用コネクタ、
１４  フラットケーブル、  １５  バッテリーパック側の端子、
１６  フラットケーブル、  １７  本体側の端子、  １８  カード挿入孔、
１９  カード受け、  ２０  従来のカード収納部、
２１  従来のカード収納部のカバー。
【図１】
0003619763.tif 000002
【図２】
0003619763.tif 000003
【図３】
0003619763.tif 000004
【図４】
0003619763.tif 000005
【図５】
0003619763.tif 000006
【図６】
0003619763.tif 000007
【図７】
0003619763.tif 000008
【図８】
0003619763.tif 000009
【図９】
0003619763.tif 000010
【図１０】
0003619763.tif 000011
【図１１】
0003619763.tif 000012
【図１２】
0003619763.tif 000013